(57)【要約】【課題】短時間かつ簡便に三脚の高さを調整することができ、撮影者が便利に使用できる実用的な自動調整三脚構造を提供する。【解決手段】  自動調整三脚構造は、ベース装置１、昇降装置２、駆動装置３及び雲台装置４を備える。ベース装置１には、昇降装置２が貫設されるとともに駆動装置３が連結固定される。昇降装置２には、雲台装置４が接続されて配置される。駆動装置３は、ドライブプレート３１、動力モータ３２、アクチュエータ３３、パワーパッケージ３４及び制動器３５を有する。アクチュエータ３３は、ドライブプレート３１及び動力モータ３２と電気的に接続され、ドライブプレート３１と動力モータ３２とが接続される。制動器３５は、感応片３５１を有するとともにベース装置１に内蔵され、制動器３５の感応片３５１は、昇降装置２に接触するように構成されている。【選択図】図１
0003180918.tif 000002
【実用新案登録請求の範囲】
【請求項１】
ベース装置、昇降装置、駆動装置及び雲台装置を備えた自動調整三脚構造であって、
前記ベース装置には、前記昇降装置が貫設されるとともに前記駆動装置が連結固定され、前記昇降装置には、前記雲台装置が接続されて配置され、
前記駆動装置は、ドライブプレート、動力モータ、アクチュエータ、パワーパッケージ及び制動器を有し、前記アクチュエータは、前記ドライブプレート及び前記動力モータと電気的に接続され、前記ドライブプレートと前記動力モータとが接続され、前記制動器は、感応片を有するとともに前記ベース装置に内蔵され、前記制動器の感応片は、前記昇降装置に接触され、
前記アクチュエータは、制御スイッチを有するとともに前記パワーパッケージと電気的に接続され、前記アクチュエータの前記制御スイッチをオン・オフすることにより前記ドライブプレート及び前記動力モータの作動を制御して前記昇降装置を駆動させ、
前記昇降装置は、前記制動器に接触しながら伸縮動作を行うことを特徴とする自動調整三脚構造。
【請求項２】
前記アクチュエータは、リモコンを用いてオン・オフを行うセンサを有することを特徴とする請求項１に記載の自動調整三脚構造。
【請求項３】
前記駆動装置は、前記ベース装置に内蔵された警報装置を有することを特徴とする請求項１に記載の自動調整三脚構造。
【請求項４】
前記ベース装置は、三脚ホルダと、少なくとも１つの三脚の脚と、を有し、
前記三脚ホルダには、前記昇降装置が貫設されるとともに前記警報装置が内蔵され、
前記三脚ホルダは、一方の端部に当接端部が設けられるとともに前記駆動装置の前記制動器が内蔵され、他方の端部に当接パッドが設けられ、
前記三脚ホルダの周囲には、前記三脚の脚を枢着させる複数の枢着部が設けられていることを特徴とする請求項３に記載の自動調整三脚構造。
【請求項５】
前記昇降装置は、昇降杆体を有し、
前記昇降杆体は、等間隔で配置された複数のラックギヤを側部に有し、前記ラックギヤの両側には、互いに対称に停止点が凹設され、
前記昇降杆体は、一方の端部に前記雲台装置が結合されて設置され、他方の端部に当接ベースが配置されることを特徴とする請求項４に記載の自動調整三脚構造。
【考案の詳細な説明】
【技術分野】
【０００１】
本考案は、自動調整三脚構造に関するものであり、さらに詳しくは、短時間かつ簡便に三脚の高さを調整することができ、撮影者が簡便に使用可能で実用的な自動調整三脚構造に関するものである。
【背景技術】
【０００２】
図６のように、従来から市販されているカメラ及びビデオカメラの三脚構造６には、三脚ホルダ６１が備えられている。三脚ホルダ６１の下端部には、複数の三脚の脚６２が枢着される。三脚ホルダ６１の中心部には、昇降杆体６３が貫設される。昇降杆体６３は、複数のラックギヤ６３１が側部に配列され、雲台アダプタ６５が上端部に接続されて配置される。三脚ホルダ６１の側部には、ジョイスティック６４が設けられ、このジョイスティック６４を廻して昇降杆体６３の高さを調整することができる。
【０００３】
しかし、撮影者が撮影のために高さを調整するには、ジョイスティックを廻して昇降杆体の高さを調節し、対象物を都合よく撮影できるように調整して撮影を行う必要があるが、撮影者にとっては、このような従来の複雑な操作は時間及び労力が余計にかかり非常に不便であった。
【０００４】
かかる状況下において、特開２００１−２３５０９２号公報には、迅速展開が可能とされ、かつ軽量の三脚台が記載されている。しかし、三脚台の高さを自動調整するには未だ十分でない点があった。
【特許文献１】特開２００１−２３５０９２号公報
【考案の概要】
【考案が解決しようとする課題】
【０００５】
従って、本考案の課題は、短時間かつ簡便に三脚の高さを調整することができ、撮影者が便利に使用可能であり、実用的な自動調整三脚構造を提供することにある。
【課題を解決するための手段】
【０００６】
そこで、本考案者は、前記の本考案の課題を解決するために鋭意検討を重ねた結果、ベース装置に加えて、昇降装置、駆動装置及び雲台装置を組み合わせることにより、高さの自動調整が可能なように構成することが可能な点に着目し、かかる知見に基いて本考案に想到した。
【０００７】
かくして、上記課題を解決するために、本考案によれば、ベース装置、昇降装置、駆動装置及び雲台装置を備えた自動調整三脚構造であって、
前記ベース装置には、前記昇降装置が貫設されるとともに前記駆動装置が連結固定され、前記昇降装置には、前記雲台装置が接続されて配置され、
前記駆動装置は、ドライブプレート、動力モータ、アクチュエータ、パワーパッケージ及び制動器を有し、前記アクチュエータは、前記ドライブプレート及び前記動力モータと電気的に接続され、前記ドライブプレートと前記動力モータとが接続され、前記制動器は、感応片を有するとともに前記ベース装置に内蔵され、前記制動器の感応片は、前記昇降装置に接触され、
前記アクチュエータは、制御スイッチを有するとともに前記パワーパッケージと電気的に接続され、前記アクチュエータの前記制御スイッチをオン・オフすることにより前記ドライブプレート及び前記動力モータの作動を制御して前記昇降装置を駆動させ、
前記昇降装置は、前記制動器に接触しながら伸縮動作を行うことを特徴とする自動調整三脚構造が提供される。
【０００８】
前記アクチュエータは、リモコンを用いてオン・オフを行うセンサを有することが好ましい。
【０００９】
前記駆動装置は、前記ベース装置に内蔵された警報装置を有することが好ましい。
【００１０】
前記ベース装置は、三脚ホルダと、少なくとも１つの三脚の脚と、を有し、前記三脚ホルダには、前記昇降装置が貫設されるとともに前記警報装置が内蔵され、前記三脚ホルダは、一方の端部に当接端部が設けられるとともに前記駆動装置の前記制動器が内蔵され、他方の端部に当接パッドが設けられ、前記三脚ホルダの周囲には、前記三脚の脚を枢着させる複数の枢着部が設けられていることが好ましい。
【００１１】
前記昇降装置は、昇降杆体を有し、前記昇降杆体は、等間隔で配置された複数のラックギヤを側部に有し、前記ラックギヤの両側には、互いに対称に停止点が凹設され、前記昇降杆体は、一方の端部に前記雲台装置が結合されて設置され、他方の端部に当接ベースが配置されることが好ましい。
【考案の効果】
【００１２】
本考案は、前記の通りの構成からなるものであり、三脚の高さを簡便な操作により正確に調整することができる。
【図面の簡単な説明】
【００１３】
【図１】図１は、本考案の一実施形態に係る自動調整三脚構造を示す斜視図である。
【図２】図２は、本考案の一実施形態に係る自動調整三脚構造を使用するときの状態を示す正面図（１）である。
【図３】図３は、本考案の一実施形態に係る自動調整三脚構造を使用するときの状態を示す正面図（２）である。
【図４】図４は、本考案の一実施形態に係る自動調整三脚構造を使用するときの状態を示すブロック図である。
【図５】図５は、本考案の他の実施形態に係る自動調整三脚構造を示す斜視図である。
【図６】図６は、従来の三脚構造を示す斜視図である。
【考案を実施するための形態】
【００１４】
以下、本考案の実施形態について図面に基づいて説明する。なお、これによって本考案が限定されるものではない。
【００１５】
図１を参照する。図１に示すように、本考案の一実施形態に係る自動調整三脚構造は、少なくともベース装置１、昇降装置２、駆動装置３及び雲台装置４から構成される。ベース装置１には、昇降装置２が貫設されるとともに駆動装置３が連結固定されている。昇降装置２には、雲台装置４を接続して配置させる。
【００１６】
ベース装置１は、三脚ホルダ１１と、少なくとも１つの三脚の脚１２と、を有する。三脚ホルダ１１は、中空状を呈して昇降装置２が貫設されている。三脚ホルダ１１は、一方の端部に設けられた当接端部１１２と、他方の端部に設けられた当接パッド１１３と、を有する。三脚ホルダ１１の周囲には、三脚の脚１２を枢着する複数の枢着部１１１が設けられ、三脚の脚１２内には、伸縮可能な調節杆１２１が収納される。
【００１７】
昇降装置２は、昇降杆体２１を有する。昇降杆体２１は、ベース装置１の三脚ホルダ１１に貫設される。昇降杆体２１は、等間隔で配置された複数のラックギヤ２１１を側部に有し、ラックギヤ２１１の両側には、互いに対称に停止点２１２が凹設される。昇降杆体２１は、一方の端部に雲台装置４が結合されて設置され、他方の端部に当接ベース２２が配置される。
【００１８】
駆動装置３は、ベース装置１の三脚ホルダ１１の側部に連結固定されるとともに、ドライブプレート３１、動力モータ３２、アクチュエータ３３、パワーパッケージ３４及び制動器３５を有する。アクチュエータ３３は、ドライブプレート３１及び動力モータ３２と電気的に接続され、ドライブプレート３１と動力モータ３２とが連結され、制動器３５は、ベース装置１の三脚ホルダ１１の端部に設けられた当接端部１１２に内蔵される。制動器３５は、感応片３５１を有し、昇降装置２の昇降杆体２１に接触される。アクチュエータ３３は、制御スイッチ３３１を有するとともにパワーパッケージ３４と電気的に接続され、アクチュエータ３３の制御スイッチ３３１をオン・オフすることによりドライブプレート３１及び動力モータ３２の作動を制御して昇降装置２の昇降杆体２１を駆動させる。昇降装置２の昇降杆体２１は、制動器３５の感応片３５１に接触しながら伸縮動作を行う。
【００１９】
雲台装置４は、雲台アダプタ４１及び調節ベース４２を有する。雲台アダプタ４１と調節ベース４２とは接続される。雲台アダプタ４１の上端部には、カメラネジ４１１が設けられる。調節ベース４２は、昇降装置２の昇降杆体２１の端部に接続されて配置される。
図２〜図４を参照する。図２は、本考案の一実施形態に係る自動調整三脚構造を使用するときの状態を示す正面図（１）である。図３は、本考案の一実施形態に係る自動調整三脚構造を使用するときの状態を示す正面図（２）である。図４は、本考案の一実施形態に係る自動調整三脚構造を使用するときの状態を示すブロック図である。図２〜図４に示すように、ベース装置１には、昇降装置２が貫設されて駆動装置３と連結固定される。昇降装置２には、雲台装置４が連結固定される。駆動装置３のパワーパッケージ３４は、アクチュエータ３３と電気的に接続される。アクチュエータ３３は、ドライブプレート３１及び動力モータ３２と電気的に接続される。ドライブプレート３１と動力モータ３２とは連結された状態であり、制動器３５は、ベース装置１の三脚ホルダ１１の端部に設けられた当接端部１１２に内蔵される。制動器３５の感応片３５１は、昇降装置２の昇降杆体２１と接触される。アクチュエータ３３の制御スイッチ３３１は、パワーパッケージ３４と電気的に接続され、アクチュエータ３３の制御スイッチ３３１をオン・オフすることによりドライブプレート３１及び動力モータ３２の作動を制御して昇降装置２を駆動させる。昇降装置２は、制動器３５の感応片３５１に接触しながら伸縮動作を行い、昇降装置２の昇降杆体２１が降下すると、昇降杆体２１の停止点２１２が制動器３５の感応片３５１の箇所まで移動し、昇降杆体２１が停止状態となる（図２参照）。もし停止していない状態である場合、昇降杆体２１の端部に設けられた雲台装置４は、三脚ホルダ１１の当接パッド１１３により係止され、固定された状態となる。逆に、昇降装置２の昇降杆体２１を上方へ変位させ、昇降杆体２１の停止点２１２が制動器３５の感応片３５１に移動すると昇降杆体２１の変位が停止し（図３参照）、停止されない場合でも昇降杆体２１の端部に設けられた当接ベース２２が三脚ホルダ１１の当接端部１１２により係止されるため、本考案の自動調整三脚構造は、三脚の高さを簡便に調整することができる上、撮影者が便利に使用することができて実用的である。
【００２０】
図５を参照する。図５は、本考案の他の実施形態に係る自動調整三脚構造を示す斜視図である。図５に示すように、本考案の他の実施形態に係る自動調整三脚構造のベース装置１には、昇降装置２を貫設させて駆動装置３を連結固定させる。昇降装置２は、雲台装置４に接続されて設置される。雲台アダプタ４１上端に設けられたカメラネジ４１１は、各種撮影器材５を取り付けて設置するために用いる。しかし、駆動装置３のアクチュエータ３３は、リモコンを用いてオン・オフを制御するとともに、ドライブプレート３１及び動力モータ３２と電気的に接続され、制動器３５は、ベース装置１の三脚ホルダ１１の端部に設けた当接端部１１２に内蔵される。制動器３５の感応片３５１は、昇降装置２の昇降杆体２１に接触される。アクチュエータ３３は、センサ３３２を有するとともにパワーパッケージ３４と電気的に接続され、センサ３３２をリモコンによりオン・オフすることによりドライブプレート３１及び動力モータ３２の作動を制御して昇降装置２の昇降杆体２１を駆動させる。昇降装置２の昇降杆体２１は、制動器３５の感応片３５１に接触しながら伸縮動作を行う。ここで、駆動装置３は、ベース装置１の三脚ホルダ１１に内蔵された警報装置３６を含んでもよい。昇降装置２の昇降杆体２１が下方へ降下してベース装置１の三脚ホルダ１１に接近すると、警報装置３６により警告音を鳴らしてユーザに知らせる。
【００２１】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２２】
１  ベース装置
２  昇降装置
３  駆動装置
４  雲台装置
５  撮影器材
６  三脚構造
１１  三脚ホルダ
１２  三脚の脚
２１  昇降杆体
２２  当接ベース
３１  ドライブプレート
３２  動力モータ
３３  アクチュエータ
３４  パワーパッケージ
３５  制動器
３６  警報装置
４１  雲台アダプタ
４２  調節ベース
６１  三脚ホルダ
６２  三脚の脚
６３  昇降杆体
６４  ジョイスティック
６５  雲台アダプタ
１１１  枢着部
１１２  当接端部
１１３  当接パッド
１２１  調節杆
２１１  ラックギヤ
２１２  停止点
３３１  制御スイッチ
３３２  センサ
３５１  感応片
４１１  カメラネジ
６３１  ラックギヤ
【図１】
0003180918.tif 000003
【図２】
0003180918.tif 000004
【図３】
0003180918.tif 000005
【図４】
0003180918.tif 000006
【図５】
0003180918.tif 000007
【図６】
0003180918.tif 000008